(57)【特許請求の範囲】
【請求項１】
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する変換部と、
チャネル推定のための時間領域のパイロット信号を、前記データ信号の所定の部分に加える加算部と、を備え、
前記入力シンボル系列は、第１シンボルと、送信データを表す第２シンボルと、を含み、
前記第１シンボルは、前記データ信号の所定の部分に前記第２シンボルが与える影響と当該所定の部分に前記第１シンボルが与える影響とが打ち消し合うように決定されることを特徴とする送信装置。
【請求項２】
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する変換部と、
チャネル推定のための時間領域のパイロット信号を、前記データ信号の所定の部分に加える加算部と、を備え、
前記変換部は、パイロットシンボル系列を周波数領域の周波数データに変換し、該変換により得られた周波数データを所望の周波数帯域を有する時間領域の前記パイロット信号に変換し、
前記パイロット信号のうち前記データ信号の他の部分に対応する部分の強度は、前記パイロット信号の他の部分の強度よりも小さいことを特徴とする送信装置。
【請求項３】
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する変換部と、
チャネル推定のための時間領域のパイロット信号を、前記データ信号の所定の部分に加える加算部と、
パイロットシンボル系列を周波数領域の周波数データに変換し、該変換により得られた周波数データを所望の周波数帯域を有する時間領域の前記パイロット信号に変換する別の変換部と、を備え、
前記パイロット信号のうち前記データ信号の他の部分に対応する部分の強度は、前記パイロット信号の他の部分の強度よりも小さいことを特徴とする送信装置。
【請求項４】
推定したいチャネルの周波数特性に基づいて前記パイロットシンボル系列に含まれるパイロットシンボルを決定する決定部をさらに備えることを特徴とする請求項２または３に記載の送信装置。
【請求項５】
前記決定部によって決定可能なパイロットシンボルは、
対応するパイロット信号の周波数成分が局在的なプロファイルを有する第１パイロットシンボルと、
対応するパイロット信号の周波数成分が平坦なプロファイルを有する第２パイロットシンボルと、を含むことを特徴とする請求項４に記載の送信装置。
【請求項６】
前記パイロットシンボル系列は、パイロットシンボルと、オーバヘッドシンボルと、を含み、
前記パイロット信号のうち前記データ信号の他の部分に対応する部分を低強度部分と称すとき、前記オーバヘッドシンボルは、前記パイロット信号の低強度部分に前記パイロットシンボルが与える影響と当該低強度部分に前記オーバヘッドシンボルが与える影響とが打ち消し合うように決定されることを特徴とする請求項２から５のいずれか１項に記載の送信装置。
【請求項７】
前記入力シンボル系列は、第１シンボルと、送信データを表す第２シンボルと、を含み、
前記第１シンボルは、前記データ信号の所定の部分に前記第２シンボルが与える影響と当該所定の部分に前記第１シンボルが与える影響とが打ち消し合うように決定されることを特徴とする請求項２から６のいずれか１項に記載の送信装置。
【請求項８】
入力シンボル系列から生成される時間領域のデータ信号であって所定の部分の強度が他の部分の強度よりも小さい時間領域のデータ信号の前記所定の部分に加えられるべき時間領域のパイロット信号を生成するために使用されるパイロットシンボル長、インデクスおよび系列情報のうちの少なくともひとつを送信することを特徴とする送信装置。
【請求項９】
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換することと、
チャネル推定のための時間領域のパイロット信号を、前記データ信号の所定の部分に加えることと、を含み、
前記入力シンボル系列は、第１シンボルと、送信データを表す第２シンボルと、を含み、
前記第１シンボルは、前記データ信号の所定の部分に前記第２シンボルが与える影響と当該所定の部分に前記第１シンボルが与える影響とが打ち消し合うように決定されることを特徴とする送信方法。
【請求項１０】
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する機能と、
チャネル推定のための時間領域のパイロット信号を、前記データ信号の所定の部分に加える機能と、を送信装置に実現させ、
前記入力シンボル系列は、第１シンボルと、送信データを表す第２シンボルと、を含み、
前記第１シンボルは、前記データ信号の所定の部分に前記第２シンボルが与える影響と当該所定の部分に前記第１シンボルが与える影響とが打ち消し合うように決定されることを特徴とするコンピュータプログラム。
【請求項１１】
送信装置と、
前記送信装置と無線で通信する受信装置と、を備え、
前記送信装置は、
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する変換部と、
チャネル推定のための時間領域のパイロット信号を、前記データ信号の所定の部分に加える加算部と、を備え、
前記入力シンボル系列は、第１シンボルと、送信データを表す第２シンボルと、を含み、
前記第１シンボルは、前記データ信号の所定の部分に前記第２シンボルが与える影響と当該所定の部分に前記第１シンボルが与える影響とが打ち消し合うように決定され、
前記受信装置は、
前記送信装置の前記加算部から出力される信号により変調された無線周波数信号を復調する復調部と、
前記復調部による復調の結果得られた信号のうち、前記データ信号の所定の部分に対応する部分をパイロット信号として処理し、前記データ信号の他の部分に対応する部分をデータ信号として処理する処理部と、を備えることを特徴とするシステム。
【請求項１２】
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換することと、
チャネル推定のための時間領域のパイロット信号を、前記データ信号の所定の部分に加えることと、を含み、
前記変換することは、パイロットシンボル系列を周波数領域の周波数データに変換し、該変換により得られた周波数データを所望の周波数帯域を有する時間領域の前記パイロット信号に変換することを含み、
前記パイロット信号のうち前記データ信号の他の部分に対応する部分の強度は、前記パイロット信号の他の部分の強度よりも小さいことを特徴とする送信方法。
【請求項１３】
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する機能と、
チャネル推定のための時間領域のパイロット信号を、前記データ信号の所定の部分に加える機能と、を送信装置に実現させ、
前記変換する機能は、パイロットシンボル系列を周波数領域の周波数データに変換し、該変換により得られた周波数データを所望の周波数帯域を有する時間領域の前記パイロット信号に変換する機能を含み、
前記パイロット信号のうち前記データ信号の他の部分に対応する部分の強度は、前記パイロット信号の他の部分の強度よりも小さいことを特徴とするコンピュータプログラム。
【請求項１４】
送信装置と、
前記送信装置と無線で通信する受信装置と、を備え、
前記送信装置は、
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する変換部と、
チャネル推定のための時間領域のパイロット信号を、前記データ信号の所定の部分に加える加算部と、を備え、
前記変換部は、パイロットシンボル系列を周波数領域の周波数データに変換し、該変換により得られた周波数データを所望の周波数帯域を有する時間領域の前記パイロット信号に変換し、
前記パイロット信号のうち前記データ信号の他の部分に対応する部分の強度は、前記パイロット信号の他の部分の強度よりも小さく、
前記受信装置は、
前記送信装置の前記加算部から出力される信号により変調された無線周波数信号を復調する復調部と、
前記復調部による復調の結果得られた信号のうち、前記データ信号の所定の部分に対応する部分をパイロット信号として処理し、前記データ信号の他の部分に対応する部分をデータ信号として処理する処理部と、を備えることを特徴とするシステム。
【請求項１５】
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換することと、
チャネル推定のための時間領域のパイロット信号を、前記データ信号の所定の部分に加えることと、
パイロットシンボル系列を周波数領域の周波数データに変換し、該変換により得られた周波数データを所望の周波数帯域を有する時間領域の前記パイロット信号に変換することと、を含み、
前記パイロット信号のうち前記データ信号の他の部分に対応する部分の強度は、前記パイロット信号の他の部分の強度よりも小さいことを特徴とする送信方法。
【請求項１６】
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する機能と、
チャネル推定のための時間領域のパイロット信号を、前記データ信号の所定の部分に加える機能と、
パイロットシンボル系列を周波数領域の周波数データに変換し、該変換により得られた周波数データを所望の周波数帯域を有する時間領域の前記パイロット信号に変換する機能と、を送信装置に実現させ、
前記パイロット信号のうち前記データ信号の他の部分に対応する部分の強度は、前記パイロット信号の他の部分の強度よりも小さいことを特徴とするコンピュータプログラム。
【請求項１７】
送信装置と、
前記送信装置と無線で通信する受信装置と、を備え、
前記送信装置は、
時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する変換部と、
チャネル推定のための時間領域のパイロット信号を、前記データ信号の所定の部分に加える加算部と、
パイロットシンボル系列を周波数領域の周波数データに変換し、該変換により得られた周波数データを所望の周波数帯域を有する時間領域の前記パイロット信号に変換する別の変換部と、を備え、
前記パイロット信号のうち前記データ信号の他の部分に対応する部分の強度は、前記パイロット信号の他の部分の強度よりも小さく、
前記受信装置は、
前記送信装置の前記加算部から出力される信号により変調された無線周波数信号を復調する復調部と、
前記復調部による復調の結果得られた信号のうち、前記データ信号の所定の部分に対応する部分をパイロット信号として処理し、前記データ信号の他の部分に対応する部分をデータ信号として処理する処理部と、を備えることを特徴とするシステム。
【発明の詳細な説明】
【技術分野】
【０００１】
本発明は、送信装置、送信方法、システム、通信装置および通信方法に関する。
【背景技術】
【０００２】
現在普及が進んでいるロングタームエボリューション（ＬＴＥ）では、ＯＦＤＭ（Orthogonal Frequency Division Multiplexing）が採用されている。ＯＦＤＭでは、各ＯＦＤＭシンボルの先頭にサイクリックプレフィックス（Cyclic-Prefix）と呼ばれるガード区間を設けることにより、前ＯＦＤＭシンボルの遅延波が次のＯＦＤＭシンボルにおよぼすシンボル間干渉（Inter-Symbol Interference、以下、ＩＳＩと称す）やサブキャリア間の直交性の崩れに起因するサブキャリア間干渉を低減または除去できる。
【０００３】
しかしながら、サイクリックプレフィックスは、実質的にデータ伝送を行うことができない区間であると共に、隣接シンボル又は他の信号への干渉源となりうる。これに対して、非特許文献１には、ＤＦＴＳ（Discrete Fourier Transform Spread）−ＯＦＤＭの信号において、送信系のＤＦＴへの入力系列に含まれる（時間領域の）シンボルの始めと終わりのいくつかを「０」とすることで、出力時間信号のテール（tail）の強度の低減を目指す技術が開示されている。テールの強度を十分小さく抑えることで、そのテールに対応する時間範囲では、隣接シンボル又は他の信号に対する干渉が十分に小さくなることが期待される。
【先行技術文献】
【非特許文献】
【０００４】
【非特許文献１】G. Berardinelli, F. Tavares, T. Sorensen, P. Mogensen, and K. Pajukoski, "Zero-tail dft-spread-ofdm signals," in Globecom Workshops (GC Wk-shps), 2013 IEEE, Dec 2013, pp. 229-234.
【発明の概要】
【発明が解決しようとする課題】
【０００５】
ＤＦＴＳ−ＯＦＤＭでは通常、ＤＦＴの後の周波数領域処理においてチャネル推定のためのパイロットシンボルを挿入する。しかしながら、非特許文献１に記載される技術を採用する場合、そのようなパイロットシンボルを挿入すると、出力時間信号のテールの強度の低下が保証されなくなる。
【０００６】
本発明はこうした課題に鑑みてなされたものであり、その目的は、出力時間信号の所定の部分の強度の低減とパイロット信号によるチャネル推定とを両立できる通信技術を提供することにある。
【課題を解決するための手段】
【０００７】
本発明のある態様は、送信装置に関する。この送信装置は、時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する変換部と、チャネル推定のための時間領域のパイロット信号を、データ信号の所定の部分に加える加算部と、を備える。
【０００８】
本発明の別の態様は、システムである。このシステムは、送信装置と、送信装置と無線で通信する受信装置と、を備え、送信装置は、時間領域の入力シンボル系列を周波数領域の周波数データに変換し、該変換により得られた周波数データを所望の周波数帯域を有する時間領域のデータ信号であって所定の部分の強度が他の部分の強度よりも小さい時間領域のデータ信号に変換する変換部と、チャネル推定のための時間領域のパイロット信号を、データ信号の所定の部分に加える加算部と、を備え、受信装置は、送信装置の加算部から出力される信号により変調された無線周波数信号を復調する復調部と、復調部による復調の結果得られた信号のうち、データ信号の所定の部分に対応する部分をパイロット信号として処理し、データ信号の他の部分に対応する部分をデータ信号として処理する処理部と、を備える。
【０００９】
なお、以上の構成要素の任意の組み合わせや、本発明の構成要素や表現を装置、方法、システム、コンピュータプログラム、コンピュータプログラムを格納した記録媒体などの間で相互に置換したものもまた、本発明の態様として有効である。
【発明の効果】
【００１０】
本発明によれば、出力時間信号の所定の部分の強度の低減とパイロット信号によるチャネル推定とを両立できる。
【図面の簡単な説明】
【００１１】
【図１】第１の実施の形態に係る無線通信システムの構成例を示す模式図である。
【図２】図１の端末のハードウエア構成例を示す図である。
【図３】図２の通信装置の機能および構成を示すブロック図である。
【図４】図３のベースバンド信号処理部の送信に係る機能および構成を示すブロック図である。
【図５】図４の入力系列生成部における入力データシンボル系列の生成に関する機能および構成を示すブロック図である。
【図６】図５の入出力特性保持部の一例を示すデータ構造図である。
【図７】図４のパイロットコードブック保持部に保持されるデータの説明図である。
【図８】図４のパイロット加算部により生成される信号の波形の一例を示す模式図である。
【図９】図１の基地局装置の受信に係る機能および構成を示すブロック図である。
【図１０】図１の無線通信システムにおける一連の処理の流れを示すチャートである。
【図１１】図１１（ａ）、（ｂ）は、端末間のＩＳＩ低減効果を説明する説明図である。
【図１２】変形例に係るベースバンド信号処理部の機能および構成を示すブロック図である。
【図１３】ＬＰＴを伴うデータ信号の一例を示す波形図である。
【図１４】第２の実施の形態に係るベースバンド信号処理部の送信に係る機能および構成を示すブロック図である。
【図１５】図１４のコードブック保持部の一例を示すデータ構造図である。
【図１６】受信装置が受信するデータ信号のつの例を示す時間領域の波形図である。
【図１７】受信装置が受信するデータ信号の４つの例を示す周波数領域のスペクトルである。
【発明を実施するための形態】
【００１２】
以下、各図面に示される同一または同等の構成要素、部材、処理には、同一の符号を付するものとし、適宜重複した説明は省略する。また、各図面において説明上重要ではない部材の一部は省略して表示する。
【００１３】
（第１の実施の形態）
第１の実施の形態では、データシンボルに対するＤＦＴＳ−ＯＦＤＭにより得られる波形の低強度テール（Low Power Tail、以下、ＬＰＴと称す）に、時間領域のパイロット信号を加える。これにより、周波数領域のパイロットシンボルやパイロットサブキャリアを用いなくてもチャネル推定を行うことが可能となる。
【００１４】
ＬＰＴに関して本実施の形態では、入力シンボル系列に含まれるデータシンボルがテールに与える影響と、同じく入力シンボル系列に含まれるオーバーヘッド（ＯＨ）シンボルがテールに与える影響とが打ち消し合うように、ＯＨシンボルを決定する。その結果、ＯＨシンボルの値は「０」のような固定値ではなく、データシンボルにより変化する値（例えば、複素数）となる。これにより、データシンボルによらずにテールの強度を低減でき、ＩＳＩおよびサブキャリア間干渉を十分に低く抑えることができる。
【００１５】
図１は、本実施の形態に係る無線通信システム１００の構成例を示す模式図である。無線通信システム１００は、それぞれが無線通信装置として動作する基地局装置１０１と端末１０２とを含む。なお、例示的に１つの基地局装置１０１と１つの端末１０２とが含まれるシステムを示しているが、これらの通信装置は複数存在し得る。また、無線通信システム１００は、例えばロングタームエボリューション（ＬＴＥ）等を採用するセルラ通信システムであるが、その後の世代のセルラ通信システムや、無線ＬＡＮなどの無線通信システムであってもよい。すなわち、以下の技術は、２つの通信装置間において、ＯＦＤＭベースの通信方式を用いる場合に適用できるものであり、その対象は、必ずしもセルラ通信システム等の特定のシステムに限定されない。
【００１６】
以下では、上りリンク（Uplink）すなわち端末１０２から基地局装置１０１への信号の送信における送信装置（端末１０２）の構成および受信装置（基地局装置１０１）の構成を説明する。しかしながら、ＯＦＤＭベースの通信方式を用いて信号を送受信する任意の通信装置に本実施の形態に係る技術的思想を適用できることは、本明細書に触れた当業者には明らかである。
【００１７】
図２は、端末１０２のハードウエア構成例を示す図である。端末１０２は、ＣＰＵ２０１と、ＲＯＭ２０２と、ＲＡＭ２０３と、外部記憶装置２０４と、通信装置２０５と、を有する。端末１０２では、例えばＲＯＭ２０２、ＲＡＭ２０３及び外部記憶装置２０４のいずれかに記録された、端末１０２の各機能を実現するためのコンピュータプログラムがＣＰＵ２０１により実行される。そして、端末１０２は、例えばＣＰＵ２０１により通信装置２０５を制御して、基地局装置１０１と端末１０２との間の通信を行う。
【００１８】
なお、図２では、端末１０２は、１つの通信装置２０５を有するとしているが、例えば、端末１０２は、複数の周波数帯域のそれぞれに対応する複数の通信装置を有していてもよい。なお、端末１０２は、端末間の直接通信のために、上りリンクの信号を受信するための通信装置を有していてもよいし、下りリンクの信号を送信するための通信装置を有していてもよい。また、端末１０２は、各機能を実行する専用のハードウエアを備えてもよいし、一部をハードウエアで実行し、プログラムを動作させるコンピュータでその他の部分を実行してもよい。あるいはまた、端末１０２は、その全機能をコンピュータとプログラムにより実行させてもよい。
【００１９】
図３は、図２の通信装置２０５の機能および構成を示すブロック図である。通信装置２０５は、ベースバンド信号処理部３０２と、送受信部３０４と、増幅部３０６と、アンテナ３０８と、を含む。
【００２０】
通信装置２０５の送信機能を説明する。ベースバンド信号処理部３０２は送信対象のユーザデータである送信データを取得する。ベースバンド信号処理部３０２は、取得された送信データに対して、プリコーディング処理や離散フーリエ変換（ＤＦＴ）処理、ＩＤＦＴ処理、パイロット信号加算処理などを行う。ベースバンド信号処理部３０２は、それらの処理の結果得られるベースバンド信号を送受信部３０４に転送する。送受信部３０４は、ベースバンド信号処理部３０２から出力されたベースバンド信号により搬送波を変調し、所望の無線周波数帯域を有する無線周波数信号を生成する。増幅部３０６は、送受信部３０４により生成された無線周波数信号を増幅してアンテナ３０８により送信する。
【００２１】
通信装置２０５の受信機能を説明する。アンテナ３０８で受信された無線周波数信号が増幅部３０６で増幅され、送受信部３０４で復調されてベースバンド信号に変換される。ベースバンド信号処理部３０２は、ベースバンド信号にＤＦＴ処理や、誤り訂正復号などを行う。
【００２２】
図４は、図３のベースバンド信号処理部３０２の送信に係る機能および構成を示すブロック図である。ベースバンド信号処理部３０２は、第１端子４０２と、入力系列生成部４０４と、ＯＨパラメータ決定部４０８と、ＤＦＴ部４１２と、周波数領域処理部４１４と、ＩＤＦＴ部４１６と、パイロット加算部４１８と、Ｐ／Ｓ変換部４２８と、データ用ＯＨパラメータ保持部４２２と、パイロット用ＯＨパラメータ保持部４２４と、周波数プロファイル選択部４３０と、パイロットシンボル決定部４３２と、パイロットコードブック保持部４３４と、第２端子４２０と、を有する。
【００２３】
入力系列生成部４０４は第１端子４０２から、送信データを表すシンボルである送信データシンボルを受信する。入力系列生成部４０４は、データ用ＯＨパラメータ保持部４２２からデータ用ＯＨパラメータを取得する。入力系列生成部４０４は、取得されたデータ用ＯＨパラメータと受信した送信データシンボルとに基づき、前置ＯＨシンボルと後置ＯＨシンボルとを含むＯＨシンボルを決定する。入力系列生成部４０４は、受信した送信データシンボルに決定されたＯＨシンボルを付加することで入力データシンボル系列を生成する。
【００２４】
入力系列生成部４０４はパイロットシンボル決定部４３２から、チャネル推定のためのパイロットシンボルを受信する。入力系列生成部４０４は、パイロット用ＯＨパラメータ保持部４２４からパイロット用ＯＨパラメータを取得する。入力系列生成部４０４は、取得されたパイロット用ＯＨパラメータと受信したパイロットシンボルとに基づき、前置ＯＨシンボルと後置ＯＨシンボルとを含むＯＨシンボルを決定する。入力系列生成部４０４は、受信したパイロットシンボルに決定されたＯＨシンボルを付加することで入力パイロットシンボル系列を生成する。
【００２５】
ＤＦＴ部４１２と周波数領域処理部４１４とＩＤＦＴ部４１６とは信号変換部４０６を構成する。信号変換部４０６は、入力系列生成部４０４によって生成された入力データシンボル系列を周波数領域の周波数データに変換する。信号変換部４０６は、その変換により得られた周波数データを所望の周波数帯域を有する時間領域のデータ信号に変換し、パイロット加算部４１８に出力する。信号変換部４０６は、入力系列生成部４０４によって生成された入力パイロットシンボル系列を周波数領域の周波数データに変換する。信号変換部４０６は、その変換により得られた周波数データを所望の周波数帯域を有する時間領域のパイロット信号に変換し、パイロット加算部４１８に出力する。
【００２６】
入力データシンボル系列は時間領域の系列であり、特にＭ個（Ｍは自然数）のシンボルの時系列である。入力データシンボル系列はシンボルを要素とするベクトルで表現される。このベクトルを入力シンボルベクトルＳと表記する。入力シンボルベクトルＳにおいてＭ個の要素は時間軸に沿って並んでいる。入力パイロットシンボル系列についても同様である。
【００２７】
ＤＦＴ部４１２は、入力系列生成部４０４によって生成された入力データシンボル系列を直列／並列変換し、ＤＦＴ処理することで時間領域の系列を周波数領域の周波数データに変換し、周波数領域処理部４１４に出力する。当該ＤＦＴのサイズ（この場合、Ｍ）は、送受信部３０４で生成される無線周波数信号の帯域幅に相当する。
【００２８】
周波数領域処理部４１４は、ＤＦＴ部４１２における変換の結果得られる周波数データに対して周波数領域における所定の処理を施す。例えば、周波数領域処理部４１４は、ＤＦＴ処理後の周波数データを所望の周波数帯域または割り当てられている周波数帯域にマッピングし、それ以外の周波数帯域に無信号（０信号）をマッピングした周波数領域の系列を生成して、ＩＤＦＴ部４１６に出力する。
【００２９】
ＩＤＦＴ部４１６は、周波数領域処理部４１４が出力した系列に対してＩＤＦＴ処理を行い、データ信号を生成して、パイロット加算部４１８に出力する。当該ＩＤＦＴのサイズ（この場合、Ｍよりも大きな自然数Ｆ）は、基地局装置１０１の全受信信号帯域幅に相当する。特にＦは基地局装置１０１で利用可能なサブキャリアの数であってもよい。
【００３０】
ＤＦＴ部４１２、周波数領域処理部４１４、ＩＤＦＴ部４１６は入力パイロットシンボル系列についても同様な処理を行い、パイロット信号を生成してパイロット加算部４１８に出力する。
【００３１】
図５は、図４の入力系列生成部４０４における入力データシンボル系列の生成に関する機能および構成を示すブロック図である。入力系列生成部４０４は、データシンボル取得部５０２と、入出力特性保持部５０４と、ＯＨシンボル演算部５０６と、合成部５０８と、を有する。
【００３２】
入力系列生成部４０４から出力されるサイズＭの入力シンボルベクトルＳは、
Ｓ＝（ｈＮｈＴ、ｄＭ−Ｎｈ−ＮｔＴ、ｔＮｔＴ）Ｔ
と表される。ここで、ｈＮｈはＮｈ（Ｎｈは０以上の整数）個の前置ＯＨシンボルを要素とする前置ＯＨベクトルであり、ｔＮｔはＮｔ（Ｎｔは自然数）個の後置ＯＨシンボルを要素とする後置ＯＨベクトルである。ｄＭ−Ｎｈ−ＮｔはＭ−Ｎｈ−Ｎｔ個の送信データシンボルからなる送信データベクトルである。なお、ＮｈおよびＮｔはＭ＞Ｎｈ＋Ｎｔを満たす。このように本実施の形態では、送信データシンボルにそれとは異なるシンボルを付加することで入力データシンボル系列を生成するプリコーディングが行われる。
【００３３】
入力シンボルベクトルＳにおいて、送信データシンボルは前置ＯＨシンボルと後置ＯＨシンボルとに挟まれるように配置される。後置ＯＨシンボルは、送信データシンボルの時間に比して後の時間に対応する要素として入力シンボルベクトルＳに含められる。前置ＯＨシンボルは、送信データシンボルの時間に比して前の時間に対応する要素として入力シンボルベクトルＳに含められる。
【００３４】
入力系列生成部４０４において、Ｎｈ個の前置ＯＨシンボルおよびＮｔ個の後置ＯＨシンボルは、入力シンボルベクトルＳに対応して信号変換部４０６から出力されるデータ信号の後端部すなわちＬＰＴに送信データベクトルｄＭ−Ｎｈ−Ｎｔが与える影響と、当該ＬＰＴに前置ＯＨベクトルｈＮｈおよび後置ＯＨベクトルｔＮｔが与える影響と、が打ち消し合うように決定される。
【００３５】
入力シンボルベクトルＳに対応して信号変換部４０６から出力されるデータ信号のＫ個の時間サンプルを要素とするベクトルを出力ベクトルＸと表記する。出力ベクトルＸの要素のうちテールに対応する要素、すなわち後ろから数えてＰ（ＰはＫより小さい自然数）番目の要素から最後の要素までの要素からなるベクトルを出力テールベクトルＸＰと表記する。出力テールベクトルＸＰは出力ベクトルＸの一部である。より具体的には、
Ｘ＝（ｘ１、ｘ２、…、ｘＫ−１、ｘＫ）Ｔ
と表記するとき、
ＸＰ＝（ｘＫ−Ｐ＋１、ｘＫ−Ｐ＋２、…、ｘＫ）Ｔ
である。出力テールベクトルＸＰはＬＰＴに対応し、出力テールベクトルＸＰの要素の数ＰはＬＰＴの長さである。
【００３６】
信号変換部４０６は線形システムであるから、出力テールベクトルＸＰの各要素は入力シンボルベクトルＳの要素の線形結合として表される。すなわち、
ＸＰ＝Ａ・ｄＭ−Ｎｈ−Ｎｔ＋Ｂ・（ｈＮｈＴ、ｔＮｔＴ）Ｔ  …（式１）
が成立する。ここで「・」は行列積を表す。Ａは、送信データベクトルｄＭ−Ｎｈ−Ｎｔを入力とし出力テールベクトルＸＰを出力とする信号変換部４０６の入出力特性を表す行列、すなわち信号変換部４０６への送信データベクトルｄＭ−Ｎｈ−Ｎｔの入力が出力テールベクトルＸＰにどのような影響を与えるかを規定する行列である。Ｂは、前置ＯＨベクトルｈＮｈおよび後置ＯＨベクトルｔＮｔを入力とし出力テールベクトルＸＰを出力とする信号変換部４０６の入出力特性を表す行列、すなわち信号変換部４０６への前置ＯＨベクトルｈＮｈおよび後置ＯＨベクトルｔＮｔの入力が出力テールベクトルＸＰにどのような影響を与えるかを規定する行列である。出力ベクトルＸのＬＰＴにおける信号強度を極小化または最小化するために、
ＸＰ＝０
を課す。これは式１の右辺第１項と第２項とが打ち消し合う条件と同値である。すると、
（ｈＮｈＴ、ｔＮｔＴ）Ｔ＝（ＢＨ・Ｂ）−１・ＢＨ・（−Ａ）・ｄＭ−Ｎｈ−Ｎｔ  …（式２）
が得られる。ここでＢＨはＢの随伴行列を表す。
【００３７】
式２は、送信データシンボルを表す送信データベクトルｄＭ−Ｎｈ−Ｎｔと、信号変換部４０６の入出力特性を表す行列Ａ、Ｂと、に基づいて前置ＯＨベクトルｈＮｈおよび後置ＯＨベクトルｔＮｔを決定することができることを示している。入力系列生成部４０４は、予めＰ、Ｎｈ、Ｎｔの組に対応するＡ、Ｂを求めておき、送信データベクトルｄＭ−Ｎｈ−Ｎｔを取得したらそれにＡ、Ｂを作用させて前置ＯＨベクトルｈＮｈおよび後置ＯＨベクトルｔＮｔを取得し、入力シンボルベクトルＳを構成する。
【００３８】
データシンボル取得部５０２は、第１端子４０２から送信データシンボルを受信する。データシンボル取得部５０２は、データ用ＯＨパラメータ保持部４２２を参照し、使用すべきＮｈおよびＮｔを特定する。ＮｈおよびＮｔはいずれもデータ用ＯＨパラメータである。データシンボル取得部５０２は、受信した送信データシンボルをＭ−Ｎｈ−Ｎｔ個ずつまとめて送信データベクトルｄＭ−Ｎｈ−Ｎｔを生成する。データシンボル取得部５０２は、生成された送信データベクトルｄＭ−Ｎｈ−Ｎｔを合成部５０８およびＯＨシンボル演算部５０６に出力する。
【００３９】
ＯＨシンボル演算部５０６は、データシンボル取得部５０２から出力された送信データベクトルｄＭ−Ｎｈ−Ｎｔと、（Ｐ、Ｎｈ、Ｎｔ）の組に対応する行列Ａ、Ｂと、に基づいて、前置ＯＨベクトルｈＮｈおよび後置ＯＨベクトルｔＮｔを決定する。ＯＨシンボル演算部５０６は、データシンボル取得部５０２から送信データベクトルｄＭ−Ｎｈ−Ｎｔを受ける。ＯＨシンボル演算部５０６は、データ用ＯＨパラメータ保持部４２２を参照し、使用すべき（Ｐ、Ｎｈ、Ｎｔ）の組を特定する。
【００４０】
ＯＨシンボル演算部５０６は、入出力特性保持部５０４を参照し、特定された（Ｐ、Ｎｈ、Ｎｔ）の組に対応する行列Ａ、Ｂを取得する。図６は、入出力特性保持部５０４の一例を示すデータ構造図である。行列Ａ、ＢはいずれもＰ、Ｎｈ、Ｎｔに依存する。特に行列ＡはＰ行（Ｍ−Ｎｈ−Ｎｔ）列の行列であり、行列ＢはＰ行（Ｎｈ＋Ｎｔ）列の行列である。入出力特性保持部５０４は、（Ｐ、Ｎｈ、Ｎｔ）の組と行列Ａと行列Ｂとを対応付けて保持する。入出力特性保持部５０４に登録されるデータは、信号変換部４０６に対する出荷前のテストやシミュレーション結果等に基づき出荷時に登録されてもよい。行列Ａ、行列Ｂ自体は、無線チャネルの状況によらない装置固有の値を要素とする行列である。なお、行列Ａ、Ｂは保持部に保持される代わりに、演算により直接求められてもよい。
【００４１】
図５に戻り、ＯＨシンボル演算部５０６は、取得された行列Ａ、Ｂと受信した送信データベクトルｄＭ−Ｎｈ−Ｎｔとを使用して式２を演算することにより、前置ＯＨベクトルｈＮｈおよび後置ＯＨベクトルｔＮｔを決定する。ＯＨシンボル演算部５０６は、決定された前置ＯＨベクトルｈＮｈおよび後置ＯＨベクトルｔＮｔを合成部５０８に出力する。
【００４２】
合成部５０８は、データシンボル取得部５０２から受けた送信データベクトルｄＭ−Ｎｈ−Ｎｔと、ＯＨシンボル演算部５０６から受けた前置ＯＨベクトルｈＮｈおよび後置ＯＨベクトルｔＮｔと、から、入力シンボルベクトルＳを合成する。合成部５０８は、生成された入力シンボルベクトルＳを信号変換部４０６に出力する。
【００４３】
入力系列生成部４０４が入力パイロットシンボル系列を生成する処理については、上記の説明において送信データシンボルをパイロットシンボルに、データ用ＯＨパラメータ保持部４２２をパイロット用ＯＨパラメータ保持部４２４に、それぞれ置き換えることで説明される。さらに、パイロットシンボルの数Ｎｐは後述のパイロットシンボル決定部４３２により決定されるので、Ｍ−Ｎｈ−Ｎｔ＝Ｎｐが満たされるようにパイロット用ＯＨパラメータ保持部４２４のＮｈ、Ｎｔが決定される。
【００４４】
入力パイロットシンボル系列に対応して信号変換部４０６から出力されるパイロット信号のＫ個の時間サンプルを要素とするベクトルを出力ベクトルＹと表記する。出力ベクトルＹの要素のうちテールに対応する要素、すなわち後ろから数えてＰ’（Ｐ’はＫより小さい自然数）番目の要素から最後の要素までの要素からなるベクトルを出力テールベクトルＹＰ’と表記する。出力テールベクトルＹＰ’は出力ベクトルＹの一部である。また、出力ベクトルＹの要素のうちデータ信号の非ＬＰＴ部分に対応する要素、すなわち１番目の要素から（Ｋ−Ｐ）番目の要素までの要素からなるベクトルを対応ベクトルＹＫ−Ｐと表記する。より具体的には、
Ｙ＝（ｙ１、ｙ２、…、ｙＫ−１、ｙＫ）Ｔ
と表記するとき、
ＹＰ’＝（ｙＫ−Ｐ’＋１、ｙＫ−Ｐ’＋２、…、ｙＫ）Ｔ
ＹＫ−Ｐ＝（ｙ１、…、ｙＫ−Ｐ）Ｔ
である。ＹＰ’＝０、ＹＫ−Ｐ＝０を課すことで、式２に相当する式が導出される。
【００４５】
図４に戻り、ＯＨパラメータ決定部４０８は、通信装置２０５によって送信される無線周波数信号に係るシンボルの時間的な重なりの大きさに基づいて使用されるべきＯＨパラメータを決定し、決定されたＯＨパラメータをデータ用ＯＨパラメータ保持部４２２およびパイロット用ＯＨパラメータ保持部４２４に登録する。データ用ＯＨパラメータはＰとＮｈとＮｔとを含む。ＯＨパラメータ決定部４０８は、タイミングオフセットやマルチパスによる遅延の想定値または統計値もしくはその両方に基づいてＰの値を決定する。ＯＨパラメータ決定部４０８は、決定されたＰの値に基づいて、ＮｈおよびＮｔの値を決定する。
【００４６】
一例では、ＯＨパラメータ決定部４０８は、基地局装置の通信可能範囲に基づいてＰの初期値を設定してもよい。通信可能範囲の最大半径をＲｍａｘと表記し、光速をｃと表記すると、該通信可能範囲内における最大遅延Ｄｍａｘは
Ｄｍａｘ＝Ｒｍａｘ／ｃ
で与えられる。サンプリング間隔をＴｓと表記すると、Ｐの初期値Ｐｉは、
ＰｉＴｓ＞Ｄｍａｘ
を満たす最小の整数として与えられる。すなわち、［］をガウスの記号とするとき、
Ｐｉ＝［Ｒｍａｘ／ｃＴｓ］＋１
により初期値Ｐｉが与えられる。
【００４７】
ＯＨパラメータ決定部４０８は、タイミングオフセットやマルチパスによる遅延の実測値に対して統計処理を施し、その処理の結果に基づきＰの値を調整してもよい。例えば最大遅延Ｄｍａｘを超える遅延が多数観測された場合は、ＯＨパラメータ決定部４０８はＰを初期値Ｐｉから増やしてもよい。遅延の実測値は、例えば、基地局装置と端末との間の閉ループ型同期（Ｃｌｏｓｅｄ  Ｌｏｏｐ  Ｓｙｎｃｈｒｏｎｉｚａｔｉｏｎ、ＣＬＳ）プロセスにおいて得られる。閉ループ型同期プロセスが繰り返されることで、遅延の実測値が蓄積される。
【００４８】
ＯＨパラメータ決定部４０８は、決定されたＰの値が大きいほど（Ｎｈ＋Ｎｔ）も大きくなるよう、かつＮｈ＜ＮｔとなるようＮｈおよびＮｔを決定してもよい。Ｎｈ＜Ｎｔは、入力シンボルベクトルＳにおいて後ろに配置された要素ほど出力テールベクトルＸＰへの影響が強いという本発明者の知見に基づく。また、信号変換部４０６におけるＩＤＦＴ処理の周期性のため、入力シンボルベクトルＳの先頭に配置された要素も出力テールベクトルＸＰに影響する場合がある。したがって、Ｎｈの値は１以上に設定されてもよい。一例ではＯＨパラメータ決定部４０８は、Ｐの値と、予め定められたＮｈおよびＮｔの値の組とを対応付けて保持するテーブルを有し、決定されたＰの値に対応するＮｈ、Ｎｔの組を該テーブルから特定することにより、Ｎｈ、Ｎｔを決定してもよい。該テーブルに登録されたデータは、予め経験的にまたは理論的に得られたものであってもよい。
【００４９】
パイロット用ＯＨパラメータはＰ’とＮｈとＮｔとを含む。Ｐ’については、Ｐと同様に決定されてもよい。Ｐ’＜Ｐである。ＮｈおよびＮｔの決定については、Ｍ−Ｎｈ−Ｎｔ＝Ｎｐという拘束条件が追加される。
【００５０】
あるはまた、ＯＨパラメータ決定部４０８は、ＢＣＣＨ（Ｂｒｏａｄｃａｓｔ  Ｃｏｎｔｒｏｌ  ＣＨａｎｎｅｌ）やＰＤＣＣＨ（Ｐｈｙｓｉｃａｌ  Ｄｏｗｎｌｉｎｋ  Ｃｏｎｔｒｏｌ  ＣＨａｎｎｅｌ）やＰＵＣＣＨ（Ｐｈｙｓｉｃａｌ  Ｕｐｌｉｎｋ  Ｃｏｎｔｒｏｌ  ＣＨａｎｎｅｌ）などの制御チャネルを介して受けた制御信号からデータ用ＯＨパラメータやパイロット用ＯＨパラメータを抽出することによりそれらのＯＨパラメータを決定してもよい。
【００５１】
図７は、パイロットコードブック保持部４３４に保持されるデータの説明図である。パイロットコードブック保持部４３４は、パイロットシンボルの集合を特定するＩＤと、集合に含まれる各パイロットシンボルの値と、を対応付けて保持する。図７にはＮｐ＝３の場合の３つのパイロットシンボル集合の例が示される。シーケンス１は同じ「１＋ｉ」という値のパイロットシンボルを３つ含む。シーケンス１に対応するパイロット信号の周波数成分｜Ｗ（ｆ）｜２は比較的平坦なプロファイルを有している。シーケンス２は「１＋ｉ、１−ｉ、１＋ｉ」という並びの３つのパイロットシンボルを含む。シーケンス２に対応するパイロット信号の周波数成分｜Ｗ（ｆ）｜２は２つのピークを有する。シーケンス３は「１＋ｉ、１−ｉ、１−ｉ」という並びの３つのパイロットシンボルを含む。シーケンス３に対応するパイロット信号の周波数成分｜Ｗ（ｆ）｜２は局在的なプロファイルを有し、１つのピークを有する。
【００５２】
図４に戻り、周波数プロファイル選択部４３０は、チャネル推定において推定したいチャネルの周波数特性に基づいて、使用すべきパイロット信号の周波数プロファイルを選択する。例えば、周波数プロファイル選択部４３０は、周波数選択性フェージングによる影響を推定したい場合、周波数プロファイルとして比較的平坦なプロファイルを選択する。周波数プロファイル選択部４３０は、フラットフェージングによる影響を推定したい場合、周波数プロファイルとして局在的なプロファイルを選択する。
【００５３】
パイロットシンボル決定部４３２は、推定したいチャネルの周波数特性に基づいて、入力系列生成部４０４に提供するパイロットシンボルを決定する。パイロットシンボル決定部４３２は、周波数プロファイル選択部４３０における選択結果を取得し、取得された選択結果に対応するパイロットシンボルをパイロットコードブック保持部４３４から特定する。パイロットシンボル決定部４３２は、特定されたパイロットシンボルを入力系列生成部４０４に提供する。
【００５４】
例えば、周波数プロファイル選択部４３０において比較的平坦なプロファイルが選択された場合、パイロットシンボル決定部４３２はパイロットコードブック保持部４３４を参照し、平坦なプロファイルに対応するシーケンス１を特定する。また、周波数プロファイル選択部４３０において局在的なプロファイルが選択された場合、パイロットシンボル決定部４３２はパイロットコードブック保持部４３４を参照し、局在的なプロファイルに対応するシーケンス３を特定する。
【００５５】
パイロット加算部４１８は、信号変換部４０６から出力されたデータ信号と、同じく信号変換部４０６から出力されたパイロット信号と、を加算する。この加算処理の結果、データ信号のＬＰＴにパイロット信号の低強度でない部分が加算され、パイロット信号の低強度の部分にデータ信号の非ＬＰＴ部分が加算される。例えば、パイロット加算部４１８は、信号変換部４０６から先に取得されたデータ信号をレジスタ等のバッファ（不図示）に格納する。パイロット加算部４１８は、次に信号変換部４０６からパイロット信号を取得すると、先に取得されたデータ信号と次のパイロット信号とを重ね合わせる。
【００５６】
Ｐ／Ｓ変換部４２８は、パイロット加算部４１８により生成された信号をパラレル−シリアル変換し、シリアル化された信号を第２端子４２０に出力する。第２端子４２０は送受信部３０４と接続されている。
【００５７】
図８は、パイロット加算部４１８により生成される信号の波形の一例を示す模式図である。符号８０２で示される実線の波形は、パイロット加算部４１８により生成される信号の波形である。符号８０４で示される破線の波形は、データ信号の波形である。符号８０６で示される一点鎖線の波形は、パイロット信号の波形である。符号８０８で示される部分は、データ信号のＬＰＴとパイロット信号のＬＰＴとが重ね合わされる部分である。データ信号のＬＰＴはパイロット信号のＬＰＴより長く、データ信号のＬＰＴにパイロット信号の比較的強度の大きい本体部分が重ね合わされている。パイロット信号は、ＬＰＴの他に低強度ヘッド（Low Power Head、以下、ＬＰＨと称す）８１０を有する。パイロット信号のＬＰＨ８１０にデータ信号の本体部分が重ね合わされている。
【００５８】
符号８０２で示される実線の波形を有する信号は、Ｐ／Ｓ変換、変調、増幅等を経てアンテナ３０８から基地局装置１０１へ送信される。基地局装置１０１は受信した信号を復調し、ＤＦＴ部８３６に入力する。このとき、まず２つ目の強度のピーク以外を０または受信しないことを示す無信号に置換した信号がパイロット信号としてＤＦＴ部８３６に入力される。その出力はチャネル推定に利用される。次に、１つ目の強度のピーク以外を０または無信号に置換した信号がデータ信号としてＤＦＴ部８３６に入力される。その出力は受信データに変換される。
【００５９】
図９は、図１の基地局装置１０１の受信に係る機能および構成を示すブロック図である。ここに示す各ブロックは、ハードウエア的には、コンピュータのＣＰＵをはじめとする素子や機械装置で実現でき、ソフトウエア的にはコンピュータプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００６０】
基地局装置１０１は、復調部８３０と、Ｓ／Ｐ変換部８３２と、分離部８３４と、ＤＦＴ部８３６と、データ用ＯＨパラメータ保持部８３８と、パイロット用ＯＨパラメータ保持部８４０と、を備える。データ用ＯＨパラメータ保持部８３８、パイロット用ＯＨパラメータ保持部８４０はそれぞれ、図４に示されるベースバンド信号処理部３０２のデータ用ＯＨパラメータ保持部４２２、パイロット用ＯＨパラメータ保持部４２４に対応し、同じ内容の情報を保持する。
【００６１】
復調部８３０は、端末１０２のアンテナ３０８から送信された無線周波数信号を取得し、復調する。Ｓ／Ｐ変換部８３２は、復調部８３０による復調の結果得られた信号をシリアル−パラレル変換し、パラレル化された信号を分離部８３４に出力する。Ｓ／Ｐ変換部８３２が出力する信号は、端末１０２のパイロット加算部４１８により生成された信号に対応する。
【００６２】
分離部８３４、ＤＦＴ部８３６を含む基地局装置１０１の処理部は、復調部８３０による復調の結果得られた信号のうち、データ信号のＬＰＴに対応する部分である（Ｋ−Ｐ＋１）番目から（Ｋ−Ｐ’）番目までのサンプルをパイロット信号として処理する。処理部は、データ信号の本体部分に対応する部分である１番目から（Ｋ−Ｐ）番目までのサンプルをデータ信号として処理する。
【００６３】
分離部８３４は、Ｓ／Ｐ変換部８３２から出力される信号を不図示のバッファに格納する。分離部８３４は、データ用ＯＨパラメータ保持部８３８およびパイロット用ＯＨパラメータ保持部８４０を参照し、ＰおよびＰ’の値を取得する。分離部８３４は、まず、格納された信号のうち（Ｋ−Ｐ＋１）番目から（Ｋ−Ｐ’）番目までのサンプルをパイロット信号として抽出する。具体的には、分離部８３４は、バッファから複製された信号の１番目から（Ｋ−Ｐ）番目までのサンプルおよび（Ｋ−Ｐ’＋１）番目からＫ番目までのサンプルの強度を低減する、特にゼロに置き換える。分離部８３４は抽出されたパイロット信号をＤＦＴ部８３６に出力する。
【００６４】
分離部８３４は、次に、格納された信号のうち１番目から（Ｋ−Ｐ）番目までのサンプルをデータ信号として抽出する。具体的には、分離部８３４は、バッファから複製された信号の（Ｋ−Ｐ＋１）番目からＫ番目までのサンプルの強度を低減する、特にゼロに置き換える。分離部８３４は、抽出されたデータ信号をＤＦＴ部８３６に出力する。ＤＦＴ部８３６以降の処理は公知の信号処理と同様であるから説明を省略する。
【００６５】
以上の構成による無線通信システム１００の動作を説明する。
図１０は、無線通信システム１００における一連の処理の流れを示すチャートである。基地局装置１０１は使用すべきＰ’、Ｐ、Ｎｈ、Ｎｔを決定する（Ｓ７０２）。基地局装置１０１は、ＢＣＣＨやＰＤＣＣＨなどの下りリンク制御チャネルや制御メッセージを介して、決定されたＰ’、Ｐ、Ｎｈ、Ｎｔを端末１０２に通知する（Ｓ７０４）。端末１０２において、ユーザ操作や物理量の測定等により送信すべき送信データが発生する（Ｓ７０６）。端末１０２は、入力データシンボル系列に含められるＯＨシンボルを送信データに基づいて決定し、入力パイロットシンボル系列に含められるＯＨシンボルをパイロットシンボルに基づいて決定する（Ｓ７０８）。端末１０２は、送信データシンボルに決定されたＯＨシンボルを付加することで入力データシンボル系列を合成し、パイロットシンボルに決定されたＯＨシンボルを付加することで入力パイロットシンボル系列を合成する（Ｓ７１０）。端末１０２は、合成された入力データシンボル系列および入力パイロットシンボル系列を入力とする信号生成処理を行う（Ｓ７１２）。該信号生成処理のベースバンド処理において、端末１０２は、入力データシンボル系列に対応するデータ信号と入力パイロットシンボル系列に対応するパイロット信号とを足し合わせる。
【００６６】
基地局装置１０１は、生成された無線周波数信号を端末１０２から受信する（Ｓ７１４）。なお、端末１０２において遅延が測定され、測定された遅延に基づく新たなＮｈ、Ｎｔの値が使用された場合は、端末１０２はその新たなＮｈ、Ｎｔを上りリンク制御チャネルを介して基地局装置１０１に通知する（Ｓ７１６）。この場合、ステップＳ７０４において通知されたＮｈ、Ｎｔと、ステップＳ７１６において通知されたＮｈ、Ｎｔとは異なる。基地局装置１０１は、受信した無線周波数信号をベースバンド信号に変換する信号受信処理を行う（Ｓ７１８）。この際、基地局装置１０１は、復調された信号からまずパイロット信号を抽出してチャネル推定に使用し、次にデータ信号を抽出して処理する。基地局装置１０１は、ＮｈおよびＮｔの値を使用して、受信したデータ系列から送信データを抽出する（Ｓ７２０）。
【００６７】
図１０では上りリンクにおけるデータ伝送に本実施の形態に係る処理を適用する場合が説明される。下りリンクにおけるデータ伝送に本実施の形態に係る処理を適用する場合は図１０と同様な処理の流れとなるので、図示による説明を省略する。
【００６８】
なお、マルチパスによる遅延を測定し、測定された遅延に基づきプリコーディングを実施するか否かを決定してもよい。この場合、図１０においてステップＳ７０２の前に、（１）基地局装置１０１が上りリンクにおけるマルチパス遅延を測定し、（２）測定されたマルチパス遅延に基づき基地局装置１０１が上りリンクにおいてプリコーディングを行うか否かを決定する。下りリンクに関しては、まず（１）基地局装置１０１から端末１０２に下りリンクにおけるマルチパス遅延を測定する指示が送信され、（２）該指示に応答して測定されたマルチパス遅延が端末１０２から基地局装置１０１に送信され、（３）受信したマルチパス遅延の測定値に基づき基地局装置１０１がプリコーディングを行うか否かを決定する。ここで上りリンクにおけるＮｈ、Ｎｔと下りリンクにおけるＮｈ、Ｎｔとは異なっていてもよい。
【００６９】
本実施の形態に係る無線通信システム１００によると、データ信号のＬＰＴを利用してパイロット信号を伝送することができる。したがって、同じ無線リソース（すなわち、同じマルチキャリアシンボルおよび同じ帯域）内でデータ信号およびパイロット信号の両方を伝送することができる。その結果、周波数領域のパイロットシンボルやパイロットサブキャリアが利用できない場合でも、データ伝送とチャネル推定とを並行して行うことができる。また、パイロットシンボルやデータシンボルのリソース割り当ての自由度が高まる。
【００７０】
例えば、周波数領域のパイロットシンボルやパイロットサブキャリアが利用できない場合に、パイロットによるチャネル推定とデータ伝送とを別々の無線リソースで行うことも考えられる。しかしながら、チャネル推定のために無線リソースが占有されるのは非効率的である。これに対して本実施の形態に係る手法はデータ伝送とチャネル推定とを同じ無線リソースで実現できるので、より効率的である。
【００７１】
また、本実施の形態に係る無線通信システム１００では、データ信号の本体部分はパイロット信号のＬＰＨと重ね合わされ、パイロット信号の本体部分はデータ信号のＬＰＴと重ね合わされる。したがって、データ信号とパイロット信号との干渉は抑制される。
【００７２】
また、本実施の形態に係る無線通信システム１００によると、出力信号のテールの信号強度を抑制できるので、端末間のタイミングのずれによる端末間のＩＳＩやマルチパス遅延によるＩＳＩを低減できる。その結果、大きなセルにも小さなセルにも共通のフレーム構成を適用したより効率的な通信システムの構築が可能となる。
【００７３】
図１１（ａ）、（ｂ）は、端末間のＩＳＩ低減効果を説明する説明図である。図１１（ａ）には、基地局装置１０１と、それぞれが端末１０２と同様の構成を有する第１、第２ユーザ端末ＵＥ１、ＵＥ２と、を含む無線通信システムが示される。第１ユーザ端末ＵＥ１は開ループ型同期（Ｏｐｅｎ−Ｌｏｏｐ  Ｓｙｎｃｈｒｏｎｉｚａｔｉｏｎ、ＯＬＳ）を使用し、したがって基地局装置１０１への送信（上りリンク）に関して伝搬遅延の補償は行わない。第２ユーザ端末ＵＥ２はＣＬＳを使用し、タイミングアドバンス等を使用して伝搬遅延の補償を行う。
【００７４】
図１１（ｂ）は、基地局装置１０１における上りリンクの信号の受信状況を示す図である。第１ユーザ端末ＵＥ１から送信された信号ＳＵＥ１は伝搬遅延のため基地局装置１０１に遅れて届く。これは図１１（ｂ）において「ＵＥ１」で示される矩形領域が受信機窓ＲＷからはみ出すことで表現されている。第２ユーザ端末ＵＥ２から次の受信機窓に届くよう送信された信号ＳＵＥ２（「ＵＥ２」で示される矩形領域）は、伝搬遅延の補償があるので次の受信機窓に嵌まる。その結果、第１ユーザ端末ＵＥ１から送信された信号のテールと第２ユーザ端末ＵＥ２から送信された信号の先頭とが、第１ユーザ端末ＵＥ１の伝搬遅延に応じた長さの期間ＩＵＤにおいて重なり合う。しかしながら、本実施の形態では第１ユーザ端末ＵＥ１から送信された信号ＳＵＥ１のテールの強度は小さいので、期間ＩＵＤにおけるＩＳＩは小さくなる。また、第１ユーザ端末ＵＥ１から送信された信号ＳＵＥ１のうち強度の比較的大きい重要な部分は受信機窓ＲＷに入り、その受信機窓ＲＷから外れたテール部分の強度は小さいので、基地局装置１０１は第１ユーザ端末ＵＥ１から送信された信号ＳＵＥ１をより正確に復号できる。
【００７５】
マルチパス遅延によるＩＳＩの場合、基地局装置１０１において、端末１０２からの信号の後端部と次の信号の先端部とがマルチパスの影響で重なり合うことによりＩＳＩが生じる。本実施の形態に係る無線通信システム１００では信号のテールの強度が抑えられるので、そのようなＩＳＩが低減される。
【００７６】
本実施の形態に係るプリコーディングはＯＬＳを使用する端末に適用可能である。ＩＯＴ（Ｉｎｔｅｒｎｅｔ  Ｏｆ  Ｔｈｉｎｇｓ）などのマシン型通信（Ｍａｃｈｉｎｅ−ｔｙｐｅ  Ｃｏｍｍｕｎｉｃａｔｉｏｎ）では、マシン側の通信装置のコストを低減しかつ電力消費を抑えて電池を長持ちさせるため、データ送信の前の同期処理を省略するＯＬＳが多く採用される。このような場合に本実施の形態に係るプリコーディングを適用すると、通信品質を良好に維持できる。
【００７７】
また、本実施の形態に係る無線通信システム１００では、ＯＨシンボルは送信データシンボルが信号変換部４０６の出力信号のテールに与える影響を該ＯＨシンボルが該テールに与える影響で相殺するように決定される。したがって、例えばＯＨシンボルの代わりに単なる数値「０」を使用する場合と比較して、テールの強度をより低減できる。
【００７８】
医療、安全、緊急等の高信頼性が求められる通信アプリケーションにおいて、端末が自己のサービング基地局以外の基地局にもデータの受信を求めるような場合にも、本実施の形態に係るプリコーディングを適用できる。この場合、端末はサービング基地局とＣＬＳにより同期しているが、他の基地局とは同期していない。このような他の基地局と端末との間の通信に、本実施の形態に係るプリコーディングを適用することで、ＩＳＩを低減してより良好な通信品質を実現できる。
【００７９】
以上、第１の実施の形態に係る無線通信システムの構成と動作について説明した。この実施の形態は例示であり、各構成要素や各処理の組み合わせにいろいろな変形例が可能なこと、またそうした変形例も本発明の範囲にあることは当業者に理解される。
【００８０】
第１の実施の形態では、データ信号のＬＰＴにパイロット信号を加える場合について説明したが、これに限られない。データ信号は、データ信号の所定の部分の強度が他の部分の強度よりも小さくなるよう生成されてもよい。所定の部分は先端部（ＬＰＨ）であってもよいし、中央部であってもよい。パイロット信号の本体部分は、データ信号の強度が低い所定の部分に加算されればよい。
【００８１】
第１の実施の形態では、ＬＰＴを得るために、送信データシンボルが信号変換部４０６の出力信号のテールに与える影響をＯＨシンボルが該テールに与える影響で相殺するようにＯＨシンボルを決定する場合について説明したが、これに限られない。例えば、ＬＰＴを得るために非特許文献１に記載されるゼロテール（Zero-tail）ＤＦＴＳ−ＯＦＤＭ技術が使用されてもよい。
【００８２】
第１の実施の形態では、図１０に関連して基地局装置１０１がＰ’、Ｐ等を決定し、決定されたＰ’、Ｐ等を端末１０２に通知する場合について説明したが、これに限られず、端末がＰ’、Ｐ等を決定し、決定されたＰ’、Ｐ等を基地局装置に通知してもよい。例えば、端末がＯＬＳを採用する端末である場合、該端末は送信する最初のシンボルにＰ’、Ｐ等を含めて基地局装置に送信することができる。あるいはまた、端末１０２は、自己のデータ用ＯＨパラメータ保持部４２２、パイロット用ＯＨパラメータ保持部４２４に保持される情報を基地局装置１０１に通知する通知部を備えてもよい。基地局装置１０１は通知された情報で自己のデータ用ＯＨパラメータ保持部８３８、パイロット用ＯＨパラメータ保持部８４０の内容を更新してもよい。
【００８３】
第１の実施の形態では、入力シンボルベクトルＳにおいてＯＨシンボルを送信データシンボルの前後に配置する場合について説明したが、これに限られない。より一般的にはＯＨシンボルの数、位置および値は以下のように決定されてもよい。
【００８４】
信号変換部４０６の入出力特性を表すＫ行Ｍ列の行列Ｖについて、
Ｘ＝Ｖ・Ｓ
が成立する。Ｘは出力ベクトルである。入力シンボルベクトルＳの要素のインデクス（入力シンボルベクトルＳにおいて要素を特定する識別子、ｉ番目の要素の「ｉ」のこと）の集合（１、２、…、Ｍ）をＴ、ＮＯＨ（＝Ｎｈ＋Ｎｔ）個のＯＨシンボルのインデクスの集合をＪ、それ以外すなわちＭ−ＮＯＨ個の送信データシンボルのインデクスの集合をＤ、とそれぞれ表記する。Ｊ、ＤはそれぞれＴの部分集合であり、ＤはＴを全体集合とするときのＪの補集合である。
【００８５】
ｍがＴの元であるとき、入力シンボルベクトルＳのｍ番目の要素からの出力テールベクトルＸＰへの寄与ｗｍを以下のように定義する。
【数１】
0006585537.tif 000002
ここでｐ（ｎ）はＩＳＩエネルギの分布を表し、経験的にまたは実測値の統計処理により得られる。特にｐ（ｎ）はタイミングオフセットおよびマルチパス遅延の確率分布により決定される。概略的には、ｐ（ｎ）が大きい場合、それは出力テールベクトルＸＰにおけるｎ番目の要素が統計的に大きくなる傾向にあることを示す。Ｖ（Ｋ−ｎ＋１：Ｋ、ｍ）は、Ｖの第ｍ列のなかの第（Ｋ−ｎ＋１）行目から第Ｋ行目までの要素からなるベクトルを表す。なお、同様にＸＰ＝Ｘ（Ｋ−Ｐ＋１：Ｋ）と表される。
【００８６】
ｗ１、ｗ２、…、ｗＭを計算し、それらの中で大きいものから順にＮＯＨ個選び、選ばれたもののインデクスの集合をＪとする。これにより、入力シンボルベクトルＳのなかから出力テールベクトルＸＰへの影響が大きいＮＯＨ個のインデクス（＝要素の位置）の集合をＪとして選んだこととなる。
【００８７】
ＤおよびＪについて以下の行列を定義する。
【数２】
0006585537.tif 000003
ＯＨシンボルからなるベクトルＳ（Ｊ）と送信データシンボルからなるベクトルＳ（Ｄ）とについて、ＸＰ＝０を課すので、
【数３】
0006585537.tif 000004
これをＳ（Ｊ）について解くと、
【数４】
0006585537.tif 000005
となる。
【００８８】
第１の実施の形態では、入力データシンボル系列および入力パイロットシンボル系列の両方を同じ信号変換部４０６で処理する場合について説明したが、これに限られない。例えば、端末のベースバンド信号処理部は、入力データシンボル系列を処理するための第１信号変換部４７２と、入力パイロットシンボル系列を処理するための第２信号変換部４７４と、を有してもよい。図１２は、変形例に係るベースバンド信号処理部の機能および構成を示すブロック図である。第１信号変換部４７２および第２信号変換部４７４のそれぞれは信号変換部４０６と同様に構成される。第１信号変換部４７２は入力データシンボル系列を処理してデータ信号４７８を生成する。第２信号変換部４７４は入力パイロットシンボル系列を処理してパイロット信号４８０を生成する。パイロット加算部４７６は、第１信号変換部４７２によって生成されたデータ信号４７８と第２信号変換部４７４によって生成されたパイロット信号４８０とを加算し、送信信号４８２を生成する。
【００８９】
あるいはまた、パイロット信号は入力パイロットシンボル系列から生成される代わりに、所定のパイロット信号を保持するパイロット保持部から選択または取得されてもよい。この場合、入力パイロットシンボル系列からパイロット信号を生成する処理を省略できる。
【００９０】
第１の実施の形態では、端末１０２のベースバンド信号処理部３０２がパイロットコードブック保持部４３４を有する場合を説明したが、このパイロットコードブック保持部４３４は基地局装置１０１と共有されてもよい。
【００９１】
（第２の実施の形態）
第１の実施の形態では、受信側で信号の一部をゼロで置き換える（truncation）場合について説明した。第２の実施の形態では、送信側でデータ信号のＬＰＴの一部をゼロで置き換える。これにより、遅延が生じた場合の帯域外輻射（Out-Of-Band radiation）を抑制できる。
【００９２】
図１３は、ＬＰＴを伴うデータ信号の一例を示す波形図である。縦軸は信号の平均強度を、横軸はサンプルのインデックスを、それぞれ示す。ＬＰＴの長さはＬＬＰＴ（単位：サンプル数）と表される。データ信号の長さはＪ（単位：サンプル数）と表される。想定される遅延の最大値はＤｍａｘ（単位：サンプル数）と表される。このＤｍａｘは第１の実施の形態のＤｍａｘと同じであってもよいし、異なっていてもよい。ＬＰＴは想定される最大遅延よりも長くなるよう設定される（ＬＬＰＴ＞Ｄｍａｘ）。これにより、遅延が生じた場合のＩＳＩを抑制することができ、また信号の復号精度を高めることができるのは、第１の実施の形態で説明した通りである。
【００９３】
本実施の形態では、（Ｊ−Ｄｍａｘ）に相当するインデックスを有するサンプル６０２よりも前に現れる強度の極小値のうち、該サンプル６０２に最も近い極小値を与えるサンプル６０４のインデックスｎｍｉｎを特定する。そして、インデックスｎがｎ＞ｎｍｉｎを満たす全てのサンプル６０６の強度をゼロで置き換える。これにより、ＬＰＴは（Ｊ−ｎｍｉｎ）個のゼロ強度のサンプルを有することとなり、そのように処理されたデータ信号のスペクトルは（Ｊ−ｎｍｉｎ）以下の遅延に対して不変となり、帯域外輻射が抑制される。
【００９４】
想定される遅延の最大値Ｄｍａｘが与えられた場合、ＬＰＴの長さＬＬＰＴすなわちＯＨシンボルの数や値や位置は、ＬＬＰＴ−（Ｊ−ｎｍｉｎ）を最小化するようにＬＬＰＴを選ぶことで最適化されうる。
【００９５】
図１３に示されるようなデータ信号の平均強度の極小値の位置（すなわち、極小値となるサンプルのインデックス）は、送信装置の構成および入力シンボルベクトルＳの統計分布のみに依存する。したがって、端末は、その位置をオフラインで計算し、メモリに格納することが可能である。
【００９６】
また、ＬＰＴ生成のためのパラメータが決まるとＬＰＴにおける極小値のインデックスも決まるので、それらの対応表を作成することが可能である。想定される遅延の最大値Ｄｍａｘが与えられた場合、該対応表からｎｍｉｎおよびＬＰＴ生成のためのパラメータを決めることができる。この作業を最大値Ｄｍａｘが取り得る値の全てについて行うことで、最大値ＤｍａｘとｎｍｉｎとＬＰＴ生成のためのパラメータとを対応付けて保持するコードブックを生成できる。
【００９７】
本実施の形態に係る送信装置である端末を含む無線通信システムの構成は図１を参照して説明した第１の実施の形態に係る無線通信システム１００の構成に準じる。本実施の形態に係る端末のハードウエア構成は、図２を参照して説明した第１の実施の形態に係る端末１０２のハードウエア構成に準じる。本実施の形態に係る端末の通信装置の機能および構成は、図３を参照して説明した第１の実施の形態に係る通信装置２０５の機能および構成に準じる。
【００９８】
図１４は、第２の実施の形態に係るベースバンド信号処理部６２０の送信に係る機能および構成を示すブロック図である。ベースバンド信号処理部６２０は、第１端子４０２と、入力系列生成部４０４と、ＤＦＴ部４１２と、周波数領域処理部４１４と、ＩＤＦＴ部４１６と、ウインドウ処理部６１６と、置換部６１８と、Ｐ／Ｓ変換部４２８と、第２端子４２０と、ＯＨパラメータ保持部６１０と、コードブック保持部６１２と、パラメータ決定部６１４と、を備える。
【００９９】
図１５は、コードブック保持部６１２の一例を示すデータ構造図である。コードブック保持部６１２は、想定される遅延の最大値Ｄｍａｘと極小値を与えるサンプルのインデックスｎｍｉｎとＬＰＴの長さＬＬＰＴとを対応付けて保持する。
【０１００】
図１４に戻り、パラメータ決定部６１４は、コードブック保持部６１２を参照し、想定される遅延の最大値Ｄｍａｘに対応する極小値を与えるサンプルのインデックスｎｍｉｎとＬＰＴの長さＬＬＰＴとを決定する。パラメータ決定部６１４は、決定されたＬＰＴの長さＬＬＰＴに基づいて、ＮｈおよびＮｔの値を決定する。パラメータ決定部６１４は、決定されたＬＬＰＴ、Ｎｈ、ＮｔをＯＨパラメータ保持部６１０に登録する。入力系列生成部４０４はＯＨパラメータ保持部６１０からＬＬＰＴ、Ｎｈ、Ｎｔを取得し、入力シンボルベクトルＳを生成する。
【０１０１】
ＩＤＦＴ部４１６は、入力シンボルベクトルＳに対応するデータ信号を生成して、ウインドウ処理部６１６に出力する。ウインドウ処理部６１６は、出力されたデータ信号を取得し、取得されたデータ信号の先端部および後端部の両方を減衰させる。その結果、図１３にも示される通り、データ信号の先頭のサンプルの平均強度はほぼゼロとなり、末尾のサンプルの平均強度もほぼゼロとなる。
【０１０２】
置換部６１８は、ウインドウ処理部６１６によるウインドウ処理の結果得られるデータ信号を取得する。置換部６１８は、パラメータ決定部６１４において決定された極小値を与えるサンプルのインデックスｎｍｉｎを取得する。置換部６１８は、取得されたデータ信号のサンプルのうち、インデックスｎがｎ＞ｎｍｉｎを満たす全てのサンプルの強度をゼロまたは送信しないことを示す無信号に置換する。置換部６１８は置換処理後のデータ信号をＰ／Ｓ変換部４２８に出力する。
【０１０３】
図１６は、受信装置が受信するデータ信号の４つの例を示す時間領域の波形図である。図１７は、受信装置が受信するデータ信号の４つの例を示す周波数領域のスペクトルである。破線で示される波形およびスペクトルは置換処理を行わず、かつ遅延も生じない場合のものである。実線で示される波形およびスペクトルは、置換処理を行い、かつ遅延が生じない場合のものである。一点鎖線で示される波形およびスペクトルは、置換処理を行わず、かつ遅延が生じる場合のものである。二点鎖線で示される波形およびスペクトルは、置換処理を行い、かつ遅延が生じる場合のものである。
【０１０４】
置換処理を行わない状態で遅延が生じた場合、図１６の符号６３０で示される通り受信されたデータ信号の最後のサンプルの強度がゼロでなくなる。これにより、受信側のＩＤＦＴウインドウの最後のサンプル(一番右)と最初のサンプル(一番左)に非連続性が生じるので、比較的大きな帯域外輻射が生じる（図１７の一点鎖線）。これは、ＩＤＦＴは巡回する性質があることと、時間軸での急峻な変動は幅広い周波数成分を持っていることによる。
【０１０５】
これに対して、置換処理を行った状態で遅延が生じた場合、受信されたデータ信号の最後のサンプルの強度はゼロとなる（図１６の二点鎖線）。したがって、受信側のＩＤＦＴウインドウの最後と最初のサンプルの間の非連続性が低減または除去され、その結果帯域外輻射を低減または除去することができる（図１７の二点鎖線）。
【０１０６】
また、ゼロまたは無信号への置換処理を行うことにより、ＰＡＰＲ (Peak to Average Power Ratio)の低減、およびアンプの省電力化も可能となる。
【０１０７】
以上、第２の実施の形態に係る無線通信システムの構成と動作について説明した。この実施の形態は例示であり、各構成要素や各処理の組み合わせにいろいろな変形例が可能なこと、またそうした変形例も本発明の範囲にあることは当業者に理解される。
【０１０８】
第２の実施の形態では、ＬＰＴにおける極小値をゼロとみなし、ｎｍｉｎより後ろのサンプルの強度をゼロまたは無信号に置換する場合について説明したが、これに限られない。極小値はゼロでなくてもよい。その場合、置換する値はゼロでなく極小値であってもよい。あるいはまた、ｎｍｉｎではなく、それよりも前または後ろの他の極小値を採用し、採用された極小値より後ろのサンプルの強度をゼロに置換してもよい。この場合でも、ゼロに置換した部分より短い遅延に対して帯域外輻射を低減できる。
【０１０９】
第２の実施の形態では、想定される遅延の最大値Ｄｍａｘに基づいてＬＰＴの長さＬＬＰＴを決める場合について説明したが、これに限られず、ＬＰＴの長さＬＬＰＴは最大値Ｄｍａｘとは独立に決定されてもよい。
【０１１０】
第２の実施の形態では、ウインドウ処理を適用する場合について説明したが、これに限られず、例えばフィルタリング処理が適用されてもよい。
【０１１１】
第２の実施の形態では、ＬＰＴを得るために、送信データシンボルが信号変換部４０６の出力信号のテールに与える影響をＯＨシンボルが該テールに与える影響で相殺するようにＯＨシンボルを決定する場合について説明したが、これに限られない。例えば、ＬＰＴを得るために非特許文献１に記載されるゼロテール（Zero-tail）ＤＦＴＳ−ＯＦＤＭ技術が使用されてもよい。
【０１１２】
第２の実施の形態では、コードブック保持部６１２はｎｍｉｎを保持する場合について説明したが、これに限られず、例えばＬＰＴにおける全てのまたは複数の極小値のインデックスが保持されてもよい。この場合、パラメータ決定部は状況に応じてｎｍｉｎ以外の極小値のインデックスを決定することができる。
【符号の説明】
【０１１３】
１０１  基地局装置、  １０２  端末、  ２０１  ＣＰＵ、  ２０２  ＲＯＭ、  ２０３  ＲＡＭ、  ２０４  外部記憶装置、  ２０５  通信装置。
【図１】
0006585537.tif 000006
【図２】
0006585537.tif 000007
【図３】
0006585537.tif 000008
【図４】
0006585537.tif 000009
【図５】
0006585537.tif 000010
【図６】
0006585537.tif 000011
【図７】
0006585537.tif 000012
【図８】
0006585537.tif 000013
【図９】
0006585537.tif 000014
【図１０】
0006585537.tif 000015
【図１１】
0006585537.tif 000016
【図１２】
0006585537.tif 000017
【図１３】
0006585537.tif 000018
【図１４】
0006585537.tif 000019
【図１５】
0006585537.tif 000020
【図１６】
0006585537.tif 000021
【図１７】
0006585537.tif 000022